(57)【要約】【課題】がいしの交換を作業性良く行うことができるがいし取替工具を提供する。【解決手段】がいし取替工具１は、支持材１５に吊り下げられ電線Ｅを支持するがいし１９を交換する際に用いるがいし取替工具であって、鋼材で形成された係止部材２と、電線Ｅを引き上げて電線Ｅの荷重を負担する張線器３と、を備え、係止部材２は、支持材１５に係止可能な係止部と、張線器３が取り付けられる取付部２９と、を有し、係止部材２が支持材１５に取り付けられた状態で、取付部２９は、支持材１５の高さと略同一以上の高さに配置されることを特徴とする。【選択図】図２
0003212406.tif 000002
【実用新案登録請求の範囲】
【請求項１】
支持材に吊り下げられ電線を支持するがいしを交換する際に用いるがいし取替工具であって、
鋼材で形成された係止部材と、
前記電線を引き上げて該電線の荷重を負担する張線器と、を備え、
前記係止部材は、
前記支持材に係止可能な係止部と、
前記張線器が取り付けられる取付部と、を有し、
前記係止部材が前記支持材に取り付けられた状態で、該取付部は、前記支持材の高さと略同一以上の高さに配置されることを特徴とするがいし取替工具。
【請求項２】
前記係止部材は、前記支持材の上面に沿って配置される基部を有し、
前記取付部は、前記基部の一端部に設けられていることを特徴とする請求項１に記載のがいし取替工具。
【請求項３】
前記係止部材は、前記基部の他端部から下方に延び、前記支持材の下面に係止可能な係止部を有することを特徴とする請求項２に記載のがいし取替工具。
【考案の詳細な説明】
【技術分野】
【０００１】
本考案は、がいし取替工具に関するものである。
【背景技術】
【０００２】
従来から、鉄道のき電線は、がいしに取り付けられている。具体的には、電柱間にはビームが架設され、ビーム上に鋼材で形成されたやぐらが設置されている。やぐらは、ビームから立設された一対の縦材と、縦材の上端部どうしを連結する上材とを有した門型をなしている。やぐらの上材にがいしが取り付けられ、がいしにき電線が支持されている（例えば、下記の特許文献１参照）。このがいしは、経年や落雷等により損傷した場合には、交換する必要がある。
【０００３】
がいしを交換する際には、やぐらの上材にロープを環状にして引っかけて、ロープに張線器（シメラー）が取り付けられたフックを係止させて、張線器にき電線を仮支持させて、がいしを交換している。
【先行技術文献】
【特許文献】
【０００４】
【特許文献１】実開平６−５３２６３号公報
【考案の概要】
【考案が解決しようとする課題】
【０００５】
しかしながら、上記のようにやぐらの上材にロープを引っかける方法では、ロープに係止させるフックの位置が低いと、張線器の引きしろが短すぎて、き電線を仮支持することができない。このため、フックの位置が上方になるように再調整する必要があり、手間がかかるという問題点がある。
【０００６】
そこで、本考案は、上記事情に鑑みてなされたものであり、がいしの交換を作業性良く行うことができるがいし取替工具を提供する。
【課題を解決するための手段】
【０００７】
上記目的を達成するために、本考案は以下の手段を採用している。
すなわち、本考案に係るがいし取替工具は、支持材に吊り下げられ電線を支持するがいしを交換する際に用いるがいし取替工具であって、鋼材で形成された係止部材と、前記電線を引き上げて該電線の荷重を負担する張線器と、を備え、前記係止部材は、前記支持材に係止可能な係止部と、前記張線器が取り付けられる取付部と、を有し、前記係止部材が前記支持材に取り付けられた状態で、該取付部は、前記支持材の高さと略同一以上の高さに配置されることを特徴とする。
【０００８】
このように構成されたがいし取替工具では、係止部材は鋼材で形成されているため、ロープ等のように変形することがない。よって、係止部を支持材に係止させれば、取付部は、常に支持材の高さと略同一以上の高さに配置される。したがって、取付部に取り付けられた張線器に電線を仮支持させる際には、張線器の引きしろが十分に確保されるため、張線器の位置調整等することなく、作業性良くがいしを交換することができる。
【０００９】
また、本考案に係る取替工具では、前記係止部材は、前記支持材の上面に沿って配置される基部を有し、前記取付部は、前記基部の一端部に設けられていることが好ましい。
【００１０】
このように構成されたがいし取替工具では、取付部は、支持材の上面に沿って配置された基部の一端部に設けられている。よって、係止部材を複雑な構成とすることなく、張線器の引きしろを十分に確保することができる。
【００１１】
また、本考案に係る取替工具では、前記係止部材は、前記基部の他端部から下方に延び、前記支持材の下面に係止可能な係止部を有していてもよい。
【００１２】
このように構成されたがいし取替工具では、係止部は、基部の他端部から下方に延び支持材の下面に係止可能である。よって、基部の一端部側には仮支持した電線の荷重が下向きに作用し、この力を反力として、基部の他端部に設けられた係止部を支持材に確実に係止させることができる。
【考案の効果】
【００１３】
本考案に係るがいし取替工具によれば、がいしの交換を作業性良く行うことができる。
【図面の簡単な説明】
【００１４】
【図１】本考案の一実施形態に係るがいし取替工具の使用対象となるがいしを示す斜視図である。
【図２】本考案の一実施形態に係るがいし取替工具を使用して、がいしを交換する様子を示す斜視図である。
【図３】本考案の一実施形態に係るがいし取替工具を示す斜視図である。
【図４】本考案の一実施形態に係るがいし取替工具の係止部材が支持材に係止されている様子を示す斜視図である。
【図５】本考案の一実施形態に係るがいし取替工具の係止部材が支持材に係止されている様子を示す模式的な側面図である。
【考案を実施するための形態】
【００１５】
本考案の一実施形態に係るがいし取替工具について、図面を用いて説明する。
図１は、本考案の一実施形態に係るがいし取替工具の使用対象となるがいしを示す斜視図である。図２は、本考案の一実施形態に係るがいし取替工具を使用して、がいしを交換する様子を示す斜視図である。
列車に電気を供給する鉄道電気設備（電車線路）では、例えば図１に示すように、対向設置された電柱１１間に、ビーム１２が架設されている。ビーム１２には、門型をなすやぐら１３が設置されている。やぐら１３は、ビーム１２から上方に延びる一対の縦枠１４と、一対の縦枠１４の上端部どうしを連結する上枠（支持材）１５と、を有している。図５に示すように、上枠１５は、断面視Ｌ型をなす鋼材が組み付けて構成され、上面１６ｕが略水平方向に沿って配置される上板部１６と、上板部１６の幅方向（上板部１６の延在方向と直交する水平方向）の略中央から下方に延びる垂下部１７と、を有している。上枠１５の垂下部１７には、図１に示すように、上下方向に複数のがいし１９が連設されている。図２に示すように、最上端に位置するがいし１９ｕは、取付部材１８を介して上枠１５に吊り下げられている。最下端に位置するがいし１９ｂには、支持部材２０が設けられている。支持部材２０は、き電線等の電線Ｅを支持している。本実施形態に係るがいし取替工具１は、がいし１９を交換する際に使用するものである。
【００１６】
図３は、がいし取替工具１を示す斜視図である。図４は、がいし取替工具１の係止部材２が上枠１５に係止されている様子を示す斜視図である。図５は、がいし取替工具１の係止部材２が上枠１５に係止されている様子を示す模式的な側面図である。なお、図５において、がいし取替工具１の係止部材２以外の部材の図示を省略している。
図３から図５に示すように、がいし取替工具１は、係止部材２と、張線器（シメラー）３と、を備えている。
【００１７】
係止部材２は、鋼材で形成されている。係止部材２は、基体（基部）２１と、係止部２６と、を有している。
【００１８】
基体２１は、上枠１５の上板部１６の上面１６ｕに沿って配置される設置板部２２と、設置板部２２から立設された立設板部２３と、を有している。設置板部２２及び立設板部２３は、上枠１５に取り付けられた状態で、上枠１５の幅方向に延びている。
【００１９】
立設板部２３の延在方向の端部２３ａ側には、上枠１５に取り付けられた状態で、上部から下部に向かうにしたがって次第に端部に向かって傾斜する傾斜部２４が設けられている。
【００２０】
係止部２６は、立設板部２３の端部２３ａに設けられている。係止部２６は、上枠１５の上板部１６の上面１６ｕから上板部１６の先端面１６ｅを通過して上板部１６の下面１６ｂにわたるまで湾曲した形状をなしている。係止部２６により形成される隙間２６ｓ内に、上板部１６の端部が嵌め込まれている。
【００２１】
立設板部２３の端部２３ｂには、立設板部２３を板厚方向に貫通する取付孔２３ｈが形成されている。接続部材（取付部）２９に挿通されたボルト２９ｂが、取付孔２３ｈに螺合されている。接続部材２９には、張線器３が不図示のボルト等を介して接続されている。換言すると、接続部材２９は、上枠１５の上面１６ｕに沿って配置される立設板部２３に取り付けられている。これにより、接続部材２９は、上枠１５よりも上方の位置で取り付けられている。
【００２２】
張線器３は、接続部材２９に接続されたワイヤー巻回部３１と、ワイヤー巻回部３１に巻きとられるワイヤー３２と、ワイヤー３２を支持するワイヤー支持部３３と、ワイヤー支持部３３に接続され、電線Ｅが係合可能な係合金具３４と、を有している。
【００２３】
張線器３は、ワイヤー巻回部３１に接続されたハンドル３５の操作により、ワイヤー巻回部３１の中心と係合金具３４との間の長さ（引きしろ）Ｌ（図２参照）を調整することができる。つまり、係止部材２が上枠１５に取り付けられた状態で、張線器３は、ハンドル３５の操作により、電線Ｅを上枠１５側に引っ張り、または引っ張った電線Ｅを元に位置（下方）に戻すことが可能である。
【００２４】
次に、上記のがいし取替工具１を用いて、がいし１９を交換する方法につい説明する。
まず、がいし取替工具１の係止部２６を、やぐら１３の上枠１５に係止させて、張線器３の係合金具３４に電線Ｅを係合させる。次に、張線器３のハンドル３５を操作して、図２に二点鎖線で示すように、電線Ｅを上枠１５側（上方）に引き上げて、張線器３に電線Ｅの荷重を負担させる。この状態で、がいし１９を交換して、新設されたがいし１９に電線Ｅを支持させる。続いて、張線器３のハンドル３５を操作して、電線Ｅを元の位置に戻し、張線器３を電線Ｅから取り外し、係止部材２をやぐら１３の上枠１５から取り外す。このようにして、がいし１９が交換される。
【００２５】
このように構成されたがいし取替工具１では、係止部材２は鋼材で形成されているため、ロープ等のように変形することがない。よって、係止部２６を上枠１５に係止させれば、接続部材２９は、常に上枠１５よりも上方の位置で取り付けられている。したがって、接続部材２９に取り付けられた張線器３に電線Ｅを仮支持させる際には、張線器３の引きしろが十分に確保されるため、張線器３の位置調整等することなく、作業性良くがいし１９を交換することができる。
【００２６】
また、接続部材２９は、上枠１５の上面１６ｕに沿って配置された立設板部２３の端部２３ａに設けられている。よって、係止部材２を複雑な構成とすることなく、張線器３の引きしろを十分に確保することができる。
【００２７】
また、係止部２６は、立設板部２３の端部２３ａから下方に延び上枠１５の下面１６ｂに係止可能である。よって、立設板部２３の端部２３ｂ側には仮支持した電線Ｅの荷重が下向きに作用し、この力を反力として、立設板部２３の端部２３ａに設けられた係止部２６を上枠１５に確実に係止させることができる。
【００２８】
なお、上述した実施の形態において示した各構成部材の諸形状や組み合わせ等は一例であって、本考案の主旨から逸脱しない範囲において設計要求等に基づき種々変更可能である。
【００２９】
例えば、上記に示す実施形態では、接続部材２９は、上枠１５よりも上方の位置で取り付けられているが、本考案はこれに限られず、接続部材２９は支持材の高さと略同一以上の高さに配置されていればよい。
【００３０】
また、上記に示す実施形態では、係止部２６は基体２１の端部２３ａから下方に延び上枠１５の下面１６ｂに係止可能に構成されているが、本考案はこれに限られない。例えば、係止部は上枠１５の先端面１６ｅまでのび、先端面１６ｅに係止される構成であってもよい。
【符号の説明】
【００３１】
１…がいし取替工具
２…係止部材
３…張線器
１３…やぐら
１４…縦枠
１５…上枠（支持材）
１６…上板部
１９…がいし
２１…基体（基部）
２２…設置板部
２３…立設板部
２６…係止部
２９…接続部材（取付部）
３１…ワイヤー巻回部
３３…ワイヤー支持部
Ｅ…電線
Ｌ…長さ
【図１】
0003212406.tif 000003
【図２】
0003212406.tif 000004
【図３】
0003212406.tif 000005
【図４】
0003212406.tif 000006
【図５】
0003212406.tif 000007